(57)【要約】      （修正有）【課題】複数の収容空間を手軽に作ることが出来、しかも収容空間を画成する柵部材を強固に連結することができるペット用サークルを提供する。【解決手段】メインサークル部材２の各棚部材２ａ及びサブサークル部材３の各棚部材３ａは、隣接する柵部材の縦杆２３，２４の角を突き合わせて、柵部材同士を直角に連結し、連結された柵部材の内側面を連続させるとともに、直角に連結された一対の柵部材の連結側端面をほぼ直交させる一方、サブサークル部材３の平面視コ字状に連結された柵部材中の相対向する一対の柵部材の遊端を、メインサークル部材２の相対向する一対の柵部材の遊端に突き合せて、サブサークル部材３側の柵部材の縦杆を、メインサークル部材２側の直角に連結された一対の柵部材の縦杆に沿わせ、付き合わせた２つの柵部材を固定金具により固定して、サブサークル部材３をメインサークル部材２に連結した。【選択図】図１
2010022265.tif 000002
【特許請求の範囲】
【請求項１】
断面矩形状の左右縦杆とこれら左右縦杆を連結する横杆とから構成される枠体を備えた複数枚の柵部材を連結して構成されるペット用サークルであって、
複数枚の前記柵部材を平面視矩形状に連結して成るメインサークル部材と、複数枚の前記棚部材を平面視コ字に連結して成るサブサークル部材とが備えられ、メインサークル部材の各棚部材及びサブサークル部材の各棚部材は、隣接する柵部材の縦杆の角を突き合わせて、柵部材同士を直角に連結し、連結された柵部材の内側面を連続させるとともに、直角に連結された一対の柵部材の連結側端面をほぼ直交させる一方、サブサークル部材の平面視コ字状に連結された柵部材中の相対向する一対の柵部材の遊端を、メインサークル部材の相対向する一対の柵部材の遊端に突き合せて、サブサークル部材側の柵部材の縦杆を、メインサークル部材側の直角に連結された一対の柵部材の縦杆に沿わせ、付き合わせた２つの柵部材を固定金具により固定して、サブサークル部材をメインサークル部材に連結するようにしていることを特徴とするペット用サークル。
【請求項２】
メインサークル部材に連結したサブサークル部材に更に別途サブサークル部材を連結することを特徴とする請求項１に記載のペット用サークル。
【発明の詳細な説明】
【技術分野】
【０００１】
本発明は、犬などのペット用サークル、詳しくは、独立した複数の収容空間を簡単に形作ることができるペット用サークルに関する。
【背景技術】
【０００２】
近年、子犬等のペットを家屋内の一定の場所に入れておくために、所謂サークル（囲い）が用いられている。
【０００３】
このペット用サークルは、上下横杆と、これら上下横杆の長さ方向両端を連結する左右縦杆とを備えた複数枚の柵部材を平面視矩形状に連結して、柵部材で囲まれた空間内にペットを収容するようにしている。（特許文献１参照）
ところで以上のペット用サークルでは、複数の収容空間を確保しようとすると、前記した既存のサークルの他に、更に同様の構造のサークルを入手して、これら２つのサークルを並べて用いるのが一般的であるが、以上のように平面視矩形状に形成されたサークルを２つ用いるとすると、両サークルの隣接する柵部材を共用できるにもかかわらず、隣接する部分の柵部材が重複して存在することとなり、そのため、それだけコストが高くなるし、また保管に際しても、全体として嵩高くなる不具合がある。
【０００４】
以上の不具合に対しては、複数の柵部材を平面視Ｕ字状に連結したサブサークルを別途用意して、このサブサークルを前記した平面視矩形状のサークルに連結するに連結することで、解決できるが、サブサークルを平面視矩形状のサークルに単に連結するだけでは、連結部位の強度を充分確保することが困難であり、場合によっては、平面視Ｕ字状のサブサークルが捩れ方向に不用意に歪むなどの不具合も考えられる。
【特許文献１】特開２００８−３５８１５号
【発明の開示】
【発明が解決しようとする課題】
【０００５】
本発明は、以上の実情に鑑みて開発されたものであって、目的とするところは、複数の収容空間を手軽に作ることが出来、しかも収容空間を画成する柵部材を強固に連結することができるペット用サークルを提供することにある。
【課題を解決するための手段】
【０００６】
前記した目的を達成するために、請求項１に係る本発明は、断面矩形状の左右縦杆とこれら左右縦杆を連結する横杆とから構成される枠体を備えた複数枚の柵部材を連結して構成されるペット用サークルであって、複数枚の前記柵部材を平面視矩形状に連結して成るメインサークル部材と、複数枚の前記棚部材を平面視コ字に連結して成るサブサークル部材とが備えられ、メインサークル部材の各棚部材及びサブサークル部材の各棚部材は、隣接する柵部材の縦杆の角を突き合わせて、柵部材同士を直角に連結し、連結された柵部材の内側面を連続させるとともに、直角に連結された一対の柵部材の連結側端面をほぼ直交させる一方、サブサークル部材の平面視コ字状に連結された柵部材中の相対向する一対の柵部材の遊端を、メインサークル部材の相対向する一対の柵部材の遊端に突き合せて、サブサークル部材側の柵部材の縦杆を、メインサークル部材側の直角に連結された一対の柵部材の縦杆に沿わせ、付き合わせた２つの柵部材を固定金具により固定して、サブサークル部材をメインサークル部材に連結するようにしていることを特徴とする。
【０００７】
請求項２に係る本発明は、請求項１に記載のペット用サークルにおいて、メインサークル部材に連結したサブサークル部材に更に別途サブサークル部材を連結することを特徴とする。
【発明の効果】
【０００８】
請求項１に記載の発明によれば、サブサークル部のメインサークル部材への組み付けに伴い、サブサークル部材側にもメインサークル部材側の収容室とは独立した収容室を形成することができる。
【０００９】
しかも、サブサークル部材の平面視コ字状に連結された柵部材中の相対向する一対の柵部材の遊端を、メインサークル部材の相対向する一対の柵部材の遊端に突き合わせて、サブサークル部材側の柵部材の縦杆を、メインサークル部材側の直角に連結された一対の柵部材の縦杆に沿わせ、付き合わせた２つの柵部材を固定金具により固定して、サブサークル部材をメインサークル部材に連結しているので、サブサークル部材とメインサークル部材との連結部位の強度が充分確保され、メインサークル部材にサブサークル部材を連結して成るサークル全体の剛性を高めることができる。
【００１０】
請求項２に記載の発明によれば、請求項１に記載の発明の効果に加え、サブサークル部材の連結により、所望の数の収容室を備えたサークルを簡単に作ることが出来る。
【発明を実施するための最良の形態】
【００１１】
以下、本発明の実施の形態を添付した図面により詳細に説明する。
【００１２】
先ず、図１は、本発明に係るペット用サークルの一実施形態を示す斜視図、図２は、サブサークル部材の一つをメインサークル部材に連結した状態を示す斜視図、図３は、サブサークル部材の一つをメインサークル部材に連結した状態を示す概略平面図、図４は、サブサークル部材とメインサークル部材との連結部の要部の断面図、図５は、固定金具の斜視図、図６は、連結部材の斜視図、図７は、連結部材による柵部材の連結部位の斜視図、図８は、本発明に係るペット用サークルの別の実施形態を示す分解斜視図である。
【００１３】
図１〜図７において符号１で示すペット用サークルは、４枚の柵部材２ａ〜２ｄにより平面視矩形状に枠組みされたメインサークル部材２と、３枚の柵部材３ａ〜３ｃにより平面視コ字に連結して構成されるサブサークル部材３・３００とから構成されている。
【００１４】
メインサークル部材２は、３枚の仕切り専用柵部材２ａ・２ｂ・２ｃと、扉２７により開閉される出入口が備えられた１枚の出入り用柵部材２ｄとから構成されている。
【００１５】
仕切り専用柵部材２ａ・２ｂ・２ｃ及び出入り専用柵部材２ｄは、上下の横杆２１・２２及びこれら上下の横杆２１・２２の長さ方向両端に架設される横断面矩形状とした左右の縦杆２３・２４から矩形状に枠組みされた枠体２０を備えている。
【００１６】
また３枚の仕切り専用柵部材中の２枚２ａ・２ｃは、他の１枚２ｂよりも幅広く形成し、また幅を狭くしたメイン柵部材２ｂは、枠体２０における上下の横杆２１・２２間に仕切りパネル２５を介装し、幅広とした専用柵部材２ａ・２ｃは、枠体２０における上下の横杆２１・２２間に複数本の仕切り杆２６を架設している。
【００１７】
出入り用柵部材２ｄは、枠体２０の上下横杆２１・２２及び横断面矩形状の左右縦杆２３・２４で画成された出入口を開閉する扉２７が備えられ、この扉２７は、枠体２０を構成する縦杆２４にヒンジ金具（図示せず）を介して揺動自由に支持されている。
【００１８】
サブサークル部材３・３００は、２枚の仕切り専用柵部材３ａ・３ｂと、扉６により開閉される出入口が備えられた１枚の出入り用柵部材３ｃとから構成されている。
【００１９】
仕切り専用柵部材３ａ・３ｂ及び出入り専用柵部材３ｃは、上下の横杆３１・３２及びこれら上下の横杆３１・３２の長さ方向両端に架設される横断面矩形状とした左右の縦杆３３・３４から矩形状に枠組みされた枠体３０を備えている。
【００２０】
また２枚の仕切り専用柵部材中の１枚３ａは、他の１枚３ｂよりも幅広く形成し、幅をせまくした仕切り専用柵部材３ｂは、枠体３０における上下の横杆３１・３２間に仕切りパネル３５を介装し、幅広とした専用柵部材３ａは、枠体３０における上下の横杆３１・３２間に複数本の仕切り杆３６を架設している。
【００２１】
出入り用柵部材３ｃは、枠体３０の上下横杆３１・３２及び横断面矩形状とした左右縦杆３３・３４で画成された出入口を開閉する扉３７が備えられ、この扉３７は、枠体３０を構成する縦３４にヒンジ金具（図示せず）を介して揺動自由に支持されている。
【００２２】
メインサークル部材２を構成する仕切り専用柵部材２ａ・２ｂ・２ｃ及び出入り専用柵部材２ｄは、後記の連結具４により平面視矩形状に連結され、またサブサークル部材３を構成する仕切り専用柵部材３ａ・３ｂ及び出入り専用柵部材３ｃは、同じく後記の連結具４により、平面視コ字状に連結されている。
【００２３】
連結具４は、扇状の連結体５と、軸材の側部にネジ孔３を有するナット６と、ネジ６０とから構成されている。
【００２４】
連結体５は、ナット収納穴５１と、このナット収納穴５１に連通するネジ挿入穴５２を備えており、ナット収納穴５１はネジ挿入穴５２に対して直交している。
【００２５】
ナット６は、連結体５のナット収納穴５１の径よりやや小さい径の金属軸材からなり、この軸部材に側部にネジ孔６１を開設するとともに、一端面には、＋状の溝６２を形成している。
【００２６】
連結具４による柵部材２ａ〜２ｄ、３ａ〜３ｃの連結は、図１にも示すごとく、柵部材２ａ〜２ｄ、３ａ〜３ｃの内側面が連続するように、隣接する柵部材２ａ〜２ｄ・３ａ〜３ｃの縦杆２３・２４、３３・３４の角を突き合わせて、これら隣接する柵部材の両縦杆２３・２４、３３・３４の内側面の上部と下部にそれぞれ連結体５を組み付けて、柵部材同士を直角に連結することで、連結された柵部材２ａ〜２ｄ、３ａ〜３ｃの内側面が連続するとともに、直角に連結された柵部材２ａ〜２ｄ、３ａ〜３ｃの連結側端面がほぼ９０度で直交するようにしている。
【００２７】
具体的には、柵部材２ａ〜２ｄ、３ａ〜３ｃの上部横杆２１及び下部横杆２２の長さ方向両端部には、貫通孔２８、３８が形成されている。
【００２８】
そして柵部材同士を直角に連結する際には、ナット４を連結体５のナット収納穴５１に挿入した上で、連結体５の側面を柵部材２ａ〜２ｄ、３ａ〜３ｃ内側面に当接させるとともに、ネジ６０を上部横杆２１及び下部横杆２２の外面側から貫通孔２８、３８及び連結体５のネジ挿入穴５２に挿通して、その挿通端部をナット６のネジ孔６１に螺締して連結体５を柵部材２ａ〜２ｄ、３ａ〜３ｃに固定するのであって、これにより、縦杆２３・２４、３３・３４同士の角が付き合わされた状態で棚部材２ａ〜２ｄ、３ａ〜３ｃが直角に連結されて、平面視矩形状のメインサークル部材２並びに平面視コ字状のサブサークル部材３が組み立てられる。
【００２９】
そして、以上のごとく組み立てられたメインサークル部材２にサブサークル部材３を後記の固定金具７により連結して、独立した2室の収容空間を画成するようにしている。
【００３０】
具体的には、固定金具７は、長さ方向一端に回転操作用フランジ７１を備えた螺子軸７２と、長さ方向一端に回転操作用フランジ７３を備え、前記した螺子軸７２が螺合可能な螺子筒７４とから構成されている。
【００３１】
一方、メインサークル部材2及びサブサークル部材３を構成している柵部材の縦杆の上部及び下部には、前述の固定金具７の螺子軸７２、螺子筒７４が挿通可能な挿通孔７０を形成している。
【００３２】
この挿通孔７０は、各柵部材２ａ〜２ｄ、３ａ〜３ｃの幅方向一端から他端に向かって延びるように開設されている。
【００３３】
そしてメインサークル部材２にサブサークル部材３を固定金具７により連結するには、図４にも示すように、サブサークル部材３の平面視コ字状に組まれた柵部材中の相対向する一対の柵部材、即ち、幅狭とした仕切り専用柵部材３ｂと、出入り専用柵部材３ｃの遊端を、メインサークル部材２における幅狭とした仕切り専用柵部材２ｂと出入り専用柵部材２ｄの遊端に突合せて、サブサークル部材３側の出入り専用柵部材３ｃを構成する縦杆３４を、メインサークル部材２側の幅広とした仕切り専用柵部材２ａの縦杆２４及び出入り専用柵部材２ｄの縦杆２３に沿わせ、またサブサークル部材３側の仕切り専用柵部材３ｂを構成する縦杆３３を、メインサークル部材２側の幅広とした仕切り専用柵部材２ａの縦杆２３及び幅狭とした仕切り専用柵部材２ｂの縦杆２４に沿わせる。
【００３４】
そして固定金具７の螺子筒７４を、突き合わされた一方の縦杆３３・３４の挿通孔７０に挿通するとともに、固定金具７の螺子軸７２を他方の縦杆２４・２３の挿通孔７０に挿通して、その挿通端部を前述の螺子筒７４に螺締するのである。
【００３５】
これにより、サブサークル部材３側の出入り専用柵部材３ｃが、メインサークル部材２側の出入り専用柵部材２ｄに直線状に連結され、またサブサークル部材３側の仕切り専用柵部材３ｂが、メインサークル部材２側の仕切り専用柵部材２ｂに直線状に連結され、      サブサークル部材３側の仕切り専用柵部材３ａが、メインサークル部材２側の仕切り専用柵部材２ａと対所定間隔開けて平行に配設されて、サブサークル部材３側にもメインサークル部材２側の収容室Ｓとは独立した収容室Ｓが形成される。
【００３６】
しかも、サブサークル部材３側の出入り専用柵部材３ｃを構成する縦杆３４が、メインサークル部材２側の幅広とした仕切り専用柵部材２ａの縦杆２４と出入り専用柵部材２ｄの縦杆２３とで保持され、またサブサークル部材３側の仕切り専用柵部材３ｂを構成する縦杆３３が、メインサークル部材２側の仕切り専用柵部材２ａの縦杆２３と仕切り専用柵部材２ｂの縦杆２４とで保持されることから、サブサークル部材３とメインサークル部材２との連結部位の強度が充分確保され、メインサークル部材２にサブサークル部材３を連結して成るサークル全体の剛性が高まる。
【００３７】
なお、収容室Ｓを更に増やしたい場合には、別途用意したサブサークル部材３００を、例えばメインサークル部材２に連結したサブサークル部材３の一端に固定金具７を介して連結すればよく、これにより収容室Ｓを３室とすることができる。
【００３８】
具体的には、別途用意したサブサークル部材３００の幅狭とした仕切り専用柵部材３ｂと、出入り専用柵部材３ｃの遊端を、メインサークル部材２に連結したサブサークル部材３の幅狭とした仕切り専用柵部材３ｂと出入り専用柵部材３ｃの遊端に突き合わせて、
サブサークル部材３００側の出入り専用柵部材３ｃを構成する縦杆３４を、サブサークル部材３側の幅広とした仕切り専用柵部材３ａの縦杆３４及び出入り専用柵部材３ｃの縦杆３３に沿わせ、またサブサークル部材３００側の仕切り専用柵部材３ｂを構成する縦杆３３を、サブサークル部材3側の幅広とした仕切り専用柵部材３ａの縦杆３３及び幅狭とした仕切り専用柵部材３ｂの縦杆３４に沿わせる。
【００３９】
そして固定金具７の螺子筒７４を、突き合わされた一方の縦杆３３・３４の挿通孔７０に挿通するとともに、固定金具７の螺子軸７２を他方の縦杆３４・３３の挿通孔７０に挿通して、その挿通端部を前述の螺子筒７４に螺締するのである。
【００４０】
これにより、サブサークル部材３００側の出入り専用柵部材３ｃが、メインサークル部材２に連結されたサブサークル部材３側の出入り専用柵部材３ｃに直線状に連結され、またサブサークル部材３００側の仕切り専用柵部材３ｂが、前記したサブンサークル部材３側の仕切り専用柵部材３ｂに直線状に連結され、サブサークル部材３００側の仕切り専用柵部材３ａが、前記したサブンサークル部材３側の仕切り専用柵部材３ａと対所定間隔開けて平行に配設されて、サブサークル部材３００側にも収容室Ｓが形成される。
【００４１】
以上の実施形態では、サブサークル部材３・３０を構成する２枚の仕切り専用柵部材中の１枚３ａを、他の１枚３ｂよりも幅広く形成したが、これに限定されるものではなく、図８に示すように、２枚の仕切り専用柵部材３ａ・３ｂ及び出入り専用柵部材３ｃを同一の幅寸法に形成してもよい。
【図面の簡単な説明】
【００４２】
【図１】本発明に係るペット用サークルの一実施形態を示す斜視図。
【図２】サブサークル部材の一つをメインサークル部材に連結した状態を示す斜視図。
【図３】サブサークル部材の一つをメインサークル部材に連結した状態を示す概略平面図。
【図４】サブサークル部材とメインサークル部材との連結部の要部の断面図。
【図５】固定金具の斜視図。
【図６】連結部材の斜視図。
【図７】連結部材による柵部材の連結部位の斜視図。
【図８】本発明に係るペット用サークルの別の実施形態を示す斜視図。
【符号の説明】
【００４３】
１    ペット用サークル
２    メインサークル部材
２ａ・２ｂ・２ｃ    仕切り専用柵部材
２ｄ  出入り専用仕切り部材
２３・２４  縦杆
３    サブサークル部材
３ａ・３ｂ  仕切り専用柵部材
３ｃ  出入り専用仕切り部材
３３・３４  縦杆
４    連結具
５    連結体
６    ナット
６０  ネジ
７    固定金具
７２  螺子軸
７４  螺子筒
【図１】
2010022265.tif 000003
【図２】
2010022265.tif 000004
【図３】
2010022265.tif 000005
【図４】
2010022265.tif 000006
【図５】
2010022265.tif 000007
【図６】
2010022265.tif 000008
【図７】
2010022265.tif 000009
【図８】
2010022265.tif 000010